(57)【要約】【課題】液体収納容器に収納されたインクなどの液体を効率的に撹拌して、液体の濃度傾斜を少なくすることができる液体収納容器、液体撹拌装置、および記録装置を提供すること。【解決手段】インク収納室８０内に、下側開口部１０２と上側開口部１０３との間に中空部１０４が形成された撹拌部材１００を備え、撹拌部材１００の駆動力は、インクカートリッジ１の外部から、伝達部材１０６を介して撹拌部材１００に伝達する。【選択図】図４
2008273045.tif 000002
【特許請求の範囲】
【請求項１】
液体を収納可能な液体収納部内に移動可能な撹拌部材を備え、前記撹拌部材には、一端側の開口部と他端側の開口部とを連通して液体を案内するための中空部が形成された液体収納容器であって、
前記撹拌部材を移動させるための駆動力を、前記液体収納容器の外部から前記撹拌部材に伝達する伝達手段を備えることを特徴とする液体収納容器。
【請求項２】
前記伝達手段は、前記液体収納容器の外部からの前記駆動力を機械的に伝達することを特徴とする請求項１に記載の液体収納容器。
【請求項３】
前記伝達手段は、一端が前記撹拌部材に連結され、かつ他端が前記液体収納容器の外部に延出する伝達部材を含むことを特徴とする請求項２に記載の液体収納容器。
【請求項４】
前記伝達部材は、前記液体収納容器の外部からの磁力を前記駆動力として伝達することを特徴とする請求項１に記載の液体収納容器。
【請求項５】
前記伝達部材は、前記撹拌部材の一部を構成する磁性体を含むことを特徴とする請求項４に記載の液体収納容器。
【請求項６】
前記撹拌部材は、前記液体収納部内に複数備わることを特徴とする請求項１から５のいずれかに記載の液体収納容器。
【請求項７】
前記撹拌部材は、前記一端側または他端側の開口部の一方寄りに位置する支持部を支点として揺動可能であることを特徴とする請求項１から６のいずれかに記載の液体収納容器。
【請求項８】
請求項１から７のいずれかに記載の液体収納容器と、前記撹拌部材を駆動するための駆動力を発生する駆動源と、を備えることを特徴とする液体撹拌装置。
【請求項９】
前記駆動源は、前記撹拌部材を駆動するための駆動力として回転力を発生することを特徴とする請求項８に記載の液体撹拌装置。
【請求項１０】
前記駆動源は、前記撹拌部材を駆動するための駆動力として磁力を発生する磁力発生部を含むことを特徴とする請求項８に記載の液体撹拌装置。
【請求項１１】
前記磁力発生部は、前記液体収納容器と相対移動可能であることを特徴とする請求項１０に記載の液体撹拌装置。
【請求項１２】
前記磁力発生部は、電磁石であることを特徴とする請求項１０に記載の液体撹拌装置。
【請求項１３】
請求項６に記載の液体収納容器と、前記複数の撹拌部材を個別に駆動するための駆動力を発生する駆動源と、を備え、
前記駆動源は、前記複数の撹拌部材を異なる駆動条件で駆動するための駆動力を発生することを特徴とする液体撹拌装置。
【請求項１４】
前記駆動条件は、前記撹拌部材の駆動速度、または前記撹拌部材を往復移動させるときの駆動周期の少なくとも一方を含むことを特徴とする請求項１３に記載の液体撹拌装置。
【請求項１５】
インクタンクから供給されるインクを記録ヘッドから記録媒体に付与することにより、前記記録媒体に画像を記録する記録装置において、
前記インクタンクは、
インクを収納可能なインク収納部と、
前記インク収納部内に移動可能に備えられて、一端側の開口部と他端側の開口部とを連通してインクを案内するための中空部が形成された撹拌部材と、
前記撹拌部材を移動させるための駆動力を、前記インクタンクの外部から前記撹拌部材に伝達する伝達手段と、
を備え、
前記記録装置は、前記撹拌部材を駆動するための駆動力を発生する駆動源を備えることを特徴とする記録装置。
【発明の詳細な説明】
【技術分野】
【０００１】
本発明は、インクなどの液体を収納する液体収納容器、その液体収納容器内の液体を撹拌するための液体撹拌装置、および記録装置に関するものである。
【背景技術】
【０００２】
記録装置として、例えば、いわゆるシリアルタイプのインクジェット記録装置は、主走査方向に移動可能なキャリッジに、インクを吐出可能な記録ヘッドと、その記録ヘッドに供給するインクを収容するためのインクカートリッジと、が搭載される。画像の記録に際しては、キャリッジを主走査方向に移動させつつ、記録ヘッドの吐出口から記録媒体に向かってインクを吐出する動作と、主走査方向と交差する副走査方向に記録媒体を搬送する動作と、を繰り返す。記録ヘッドから吐出されたインク滴が記録媒体上に着弾することにより、所望の画像が記録される。
【０００３】
このようなインクジェット記録装置において用いられているインクの主流は、色材として染料を含有するインク（以下、単に「染料インク」ともいう）であった。しかし一般に、染料インクは耐光性および耐ガス性がやや低く、その染料インクによる記録物は、屋外掲示のような特殊用途において耐久性のある画像堅牢性を提供しにくい場合があった。
【０００４】
近年においては、色材として顔料を含有するインク（以下、単に「顔料インク」ともいう）を用いる記録装置が提供されてきている。顔料インクは耐光性および耐ガス性に優れ、それによる記録物も充分な画像堅牢性を発揮することができる。但し、顔料インクは、染料インクとは異なり、色材の分散性を考慮した取り扱いが要求される。
【０００５】
顔料インク中の顔料分子は、染料インク中の染料分子のようにインク溶液中には溶解せず、分散した状態で浮遊している。よって、顔料インクを収容するインクカートリッジが暫く静置されたままであると、そのインクカートリッジ内の顔料粒子は重力によって徐々に沈降し、インクカートリッジの高さ方向において顔料粒子の濃度傾斜が発生することがあった。すなわち、インクカートリッジの底部には色材濃度の高い層が位置し、その上部には色材濃度の低い層が位置することになる。この状態のインクカートリッジから記録ヘッドにインクを供給して画像の記録動作を開始し、そして記録動作を継続した場合には、記録動作の初期段階と後期段階において、画像に濃度差が発生するおそれがある。
【０００６】
具体的に説明するために、インクカートリッジの底部から記録ヘッドにインクを供給する構成のインクジェット記録装置を考える。この記録装置に、上述したように顔料粒子の濃度傾斜を有するインクカートリッジを装着して、記録を開始した場合、その当初においては、色材濃度の高いインクカートリッジ内の下層のインクが供給されるため、必要以上に高濃度な画像が記録される。その後、記録動作を続行することにより、インクカートリッジ内のインクの消費にしたがって、画像の記録濃度は徐々に低下する。そして、インクカートリッジ内のインクが少量になった状態においては、インクカートリッジ内には、当初の色材濃度よりも低い色材濃度のインクしか残存しなくなる。そのため、記録当初と同じ画像データに基づいて画像を記録したとしても、記録濃度が不十分となる。特に、顔料粒子の径や比重が大きい場合には、その沈降傾向が著しいため、インクカートリッジの非使用状態が数日間続くだけでも画像に影響が現れるほどの濃度傾斜が発生するおそれがある。
【０００７】
このように、インクカートリッジの使用に伴って、記録ヘッドから吐出されるインクの色材濃度が変化した場合には、インクカートリッジの使用初期と使用後期において記録画像に濃度差を発生させるだけではない。例えば、複数のカラーインクを用い、所定のカラーバランスのもとに所望の色相を表現するカラーインクジェット記録システムにおいては、カラーバランスが崩れるおそれがある。その場合には、より顕著な画像問題として認識されることになる。
【０００８】
インクカートリッジ内に残存するインク量の如何に拘わらず、記録ヘッドから吐出されるインク滴の色材濃度を所望の範囲内に維持するためには、少なくとも記録動作中に、インクカートリッジ内の顔料分子が一様に分散していることが望まれる。
【０００９】
このような顔料分子の一様な分散を実現するために、インクカートリッジの内部に、顔料分子を撹拌するための撹拌体を設ける構成が提案されている（例えば、特許文献１および特許文献２参照）。
【００１０】
特許文献１には、第１および第２の実施形態として、手動操作が可能な撹拌体を備えたインクパック（あるいはタンク）が開示されている。その撹拌体は、インクパックあるいはインクカートリッジに対して、外部から挿入されたような形状になっている。外部に突出している撹拌体の部分は、インクパック（あるいはタンク）内に延在している撹拌部を動作させるための操作部として作用する。つまり、ユーザが定期的あるいは必要に応じて撹拌部を揺動させることにより、インクパック（あるいはインクカートリッジ）内のインクを撹拌して、顔料分子を分散できるようになっている。
【００１１】
また特許文献１には、第３の実施形態として、記録動作時にキャリッジが移動する際の慣性力を利用して、タンク内のインクを撹拌するための揺動部材を備えたインクカートリッジが開示されている。例えば、インクカートリッジケースと一体に成形された撹拌体が示されている。その撹拌体は、インクカートリッジケースの天井から底部に向けて垂れ下がるように延出しており、その下端部には円柱状の錘部が形成されている。その撹拌体は、キャリッジの加速・停止・反転の動作に伴う慣性力によって、天井の付け根部分を支点としてキャリッジの移動方向に揺動し、インクカートリッジ内のインクを撹拌する。
【００１２】
また、特許文献１には、別例として、インクカートリッジケースに固定されずに、インクカートリッジ内の底面を自由に移動可能な撹拌体も開示されている。この撹拌体は、キャリッジの加速・停止・反転の動作に伴う慣性力によって、インクカートリッジ内の底面を移動してインクを撹拌する。
【００１３】
一方、特許文献２には、キャリッジの移動に伴う慣性力によって、揺動中心軸を中心として左右に揺動する軸状錘と、この軸状錘と一体となって左右に揺動する複数のフィンと、を備えた撹拌機構が開示されている。この構成によれば、複数枚のフィンがインクカートリッジの高さ方向に並列に配置されているため、インクカートリッジ内の上層部から下層部にかけてインクが撹拌される。
【００１４】
【特許文献１】特開２００５−０６６５２０号公報
【特許文献２】特開２００４−２１６７６１号公報
【発明の開示】
【発明が解決しようとする課題】
【００１５】
しかしながら、上記特許文献に記載の構成においては、撹拌領域が限定されており、底部に沈降した顔料粒子を容器全体に渡って効率よく撹拌することが難しかった。
【００１６】
例えば、特許文献１の第１および第２の実施形態のように手動式の揺動部材を備えた場合には、その揺動部材の自由度が少ないことから、インクカートリッジ内の限られた領域のインクしか撹拌することができない。特に、撹拌部の支点となる撹拌体とインクカートリッジとの接合部分の近傍では、撹拌部の移動域が狭いために充分な撹拌効果が得られない。
【００１７】
また、特許文献１の第３の実施形態３においては、慣性力を効率的に利用してはいるものの、やはり撹拌可能な範囲が充分でない。また、インクカートリッジ内の底面を自由に移動可能な撹拌体を用いた場合には、インクカートリッジの底部近傍のインクに対する撹拌は期待できるものの、その撹拌体から離れているインクカートリッジ内の上層部領域に対する撹拌性は期待できない。
【００１８】
一方、特許文献２に記載の構成は、複数のフィンがインクカートリッジの高さ方向に配備されているため、その高さ方向における撹拌の均等性はある程度期待できる。しかし、インクカートリッジ内の中心軸付近はフィンの揺動量が小さいため、撹拌効果は小さい。また、このように複数のフィンや回転軸を備える揺動部材は複雑な構成となるため、インクカートリッジ自体も高価なものになってしまう。
【００１９】
上述したように、インクカートリッジ内における顔料インクは、顔料粒子が重力にしたがって徐々に沈降することにより、インクカートリッジの高さ方向に顔料粒子の濃度傾斜が引き起こされる。このようなインクカートリッジ内の濃度差を解消するには、インクカートリッジの下層部の高濃度のインクを積極的に上層部に巻き上げるように、インクを撹拌することがより効率的である。
【００２０】
本発明の目的は、液体収納容器に収納されたインクなどの液体を効率的に撹拌して、液体の濃度傾斜を少なくすることができる液体収納容器、液体撹拌装置、および記録装置を提供することにある。
【課題を解決するための手段】
【００２１】
本発明の液体収納容器は、液体を収納可能な液体収納部内に移動可能な撹拌部材を備え、前記撹拌部材には、一端側の開口部と他端側の開口部とを連通して液体を案内するための中空部が形成された液体収納容器であって、前記撹拌部材を移動させるための駆動力を、前記液体収納容器の外部から前記撹拌部材に伝達する伝達手段を備えることを特徴とする。
【００２２】
本発明の液体撹拌装置は、上記の液体収納容器と、前記撹拌部材を駆動するための駆動力を発生する駆動源と、を備えることを特徴とする。
【００２３】
本発明の記録装置は、インクタンクから供給されるインクを記録ヘッドから記録媒体に付与することにより、前記記録媒体に画像を記録する記録装置において、前記インクタンクは、インクを収納可能なインク収納部と、前記インク収納部内に移動可能に備えられて、一端側の開口部と他端側の開口部とを連通してインクを案内するための中空部が形成された撹拌部材と、前記撹拌部材を移動させるための駆動力を、前記インクタンクの外部から前記撹拌部材に伝達する伝達手段と、を備え、前記記録装置は、前記撹拌部材を駆動するための駆動力を発生する駆動源を備えることを特徴とする。
【発明の効果】
【００２４】
本発明によれば、液体を案内する中空部が形成された撹拌部材を液体収納容器内に備えて、その撹拌部材の駆動力を液体収納容器の外部から撹拌部材に伝達することにより、液体収納容器が移動するか否かに拘わらず撹拌部材を駆動することができる。しかも、撹拌部材の中空部を通して液体を案内することにより、液体収納容器内の液体を撹拌する上において効果的な液体の流れを生じさせることができる。この結果、液体収納容器内におけるインクなどの液体の全域を効率的に撹拌して、その液体の濃度傾斜を少なくすることができる。
【００２５】
例えば、液体収納容器が顔料インクを収納するインクカートリッジを構成する場合には、その顔料インクを効率よく撹拌して、その顔料成分の濃度を均一化することにより、長期間放置した後においても高品位の画像を記録することができる。また、画像の記録動作前におけるインクの撹拌時間を短縮することもできる。
【発明を実施するための最良の形態】
【００２６】
本出願人は、顔料インクの分散を実現するために、液体収納容器内に液体を案内する中空部を備えた被動作部材を有し、被動作部材を揺動させ、中空部の一端から液体を中空部に流入し、他端から流出するように液体を中空部に案内して撹拌する構成を検討した。これによって、液体収納容器内の液体を撹拌する上において効果的な液体の流れを生じさせることができる。そして、インク収納室の下層部に沈降しがちな顔料粒子を容易かつ確実に上層部にまで持ち上げることができ、この結果、液体収納容器に収納されたインクなどの液体の全域を効率的に撹拌して、その液体の濃度傾斜を少なくすることができる。
上述の被動作部材を揺動させる手段が、液体収納容器の移動に伴う慣性力を利用することは公的な構成であるが、液体収納容器が移動することが出来ない装置構成においても良好な撹拌動作を行なわせることを可能にする構成を検討した。
【００２７】
以下、本発明の実施形態を図面に基づいて説明する。  
（第１の実施形態）
図１は、本実施形態におけるインクジェット記録装置の外観斜視図である。本例の記録装置はいわゆるシリアルスキャンタイプの記録装置であり、カラー画像を記録するために、４色のインクを吐出可能な記録ヘッドを用いる構成となっている。
【００２８】
図１において、２３０１はキャリッジであり、ブラック、シアン、マゼンタ、イエローの４色のインクを吐出可能なインクジェット記録ヘッドが搭載可能である。キャリッジ２３０１と、記録装置を制御するための電気回路が備わるプリント板（図示せず）と、の間には、記録ヘッドに対して、駆動用の信号パルス電流や温調用電流を流すためのフレキシブルチューブ２３０２が接続されている。記録装置には、４色のインクを収容するタンクユニット（図示せず）が備えられており、それらのインクは、フレキシブルケーブル２３０２に付帯したインク供給チューブ２３０３を介して記録ヘッドに供給される。
【００２９】
記録の際には、給紙用トレイ２３０４にセットされた被記録物２３０５を給紙ローラー（図示せず）によりピックアップし、それをＵターンガイド（図示せず）に沿って通過させてから、プラテン２３０６上に送る。記録ヘッドからインクを吐出しつつ、記録ヘッドと共にキャリッジ２３０１をガイドシャフト２３０８に沿って矢印Ｘの主走査方向に移動させることにより、１行分の画像を記録（記録走査）する。２３０７は、キャリッジ２３０１の移動位置や移動速度を検知するためのキャリッジ移動用エンコーダーである。そして、紙送りローラー（図示せず）により、被記録物２３０５を主走査方向と交差（本例の場合は、直交）する矢印Ｙの副走査方向に搬送する。このような記録走査と被記録物の搬送動作とを繰り返すことにより、被記録物上に順次画像を記録する。画像の記録された被記録物は、排紙ローラー（図示せず）により排紙される。
【００３０】
（インクカートリッジ全体の構成）
図２は、インクを収納可能なカートリッジタイプのインクタンク（以下、「インクカートリッジ」ともいう）１の外観斜視図である。インクカートリッジ１は、内部にインク収納室（インク収納部）８０を備えた容器であり、主に、容器本体１０と蓋２０から構成されている。インクカートリッジ１の底部には、記録ヘッドにインクを供給するための接続口（インク供給口）３０が形成されている。
【００３１】
図３は、インクカートリッジ１の分解斜視図である。インクカートリッジ１の容器本体１０は、例えばポリプロピレンによって形成されており、その内部には、インクを撹拌するための撹拌部材１００が収容される。接続口３０には、フレーム３１、２つの第１の弾性部材３２、および蓋部材３３が備えられている。第１の弾性部材３２は、フレーム３１と蓋部材３３によって固定されており、また後述するインク導入針１０２１が挿通されるスリットが設けられている。
【００３２】
撹拌部材１００には伝達部材１０６が引っ掛けられており、その伝達部材１０６によって、撹拌部材１００を揺動させることができるようになっている。蓋２０に形成された開口部２０Ａには、第２の弾性部材４２と抑え部材４３が備えられており、伝達部材１０６は開口部２０Ａを通して、インクカートリッジ１の内部から外部に渡って延在する。第２の弾性部材４２は、抑え部材４３によって固定されており、また伝達部材１０６が挿通されるスリットが設けられている。インクカートリッジ１の外部に位置する伝達部材１０６の端部には、中空部１０７Ａを形成する環状のハンドル部１０７が接続されている。
【００３３】
（インクカートリッジの使用姿勢）
インクジェット記録装置は、ビジネス系プリンタやコンシューマー系プリンタなどとして、広く適用されている。これらの記録装置は一般に据え置き型であり、記録を行なう際の姿勢は特定されている。このように使用姿勢が特定されている理由の１つとしては、最適な記録を達成するために安定した環境を確保することが挙げられる。したがって、一般的にインクジェット記録装置の使用姿勢は一義的に特定される。
【００３４】
また、使用姿勢が特定されたインクジェット記録装置に搭載されて使用されるインクタンク（記録ヘッドが一体化されたインクジェットカートリッジを含む）は、インクタンク装填部に対して、特定された姿勢で装着される。例えば、記録ヘッドと共にキャリッジに搭載されるインクタンクは、キャリッジ上に搭載されたときの姿勢が使用時の姿勢（使用姿勢）として一義的に特定される。また、記録ヘッドから離れた記録装置上の装填部に装填されて、チューブなどを介在して記録ヘッドに連結される据え置きタイプのインクタンクは、その装填部内に装填されたときの姿勢が使用姿勢として一義的に特定される。このように、インクジェット記録装置に搭載される一般的なインクタンクの使用姿勢は、実質的に一義的に特定される。
【００３５】
例えば、キャリッジ上に搭載されるタイプのインクタンクとしては、そのインク供給口が重力方向の下向きとなるように搭載され、その搭載された姿勢を使用姿勢として、インク供給口から重力方向に沿ってインクを供給するものが主流になっている。また、インク供給口がインクタンクの側面に配置されたものもあり、このタイプのインクタンクは、インク供給口から水平方向に沿ってインクを供給するようにキャリッジに搭載され、その搭載された姿勢が使用姿勢とされる。
【００３６】
また、記録ヘッドから離れた装填部に装填される据え置きタイプのインクタンクは、インク供給口を重力方向下向きの姿勢で装填し、インクタンクのインク供給口から、重力方向に沿ってインクを供給するように使用されるものがある。また、インク供給口を重力方向と交差する方向（例えば、水平方向）に向けた姿勢で装填し、インクタンクのインク供給口から、重力方向と交差する方向に沿ってインクを供給するように使用されるものもある。
【００３７】
いずれのインクタンクの場合にも、例えば、そのパッケージや同封された説明書には、記録装置への搭載方法等が記載されており、インクタンクの使用姿勢を特定することが可能である。
【００３８】
また、モバイルプリンタといわれる記録装置の中には、モバイルであることの利便性を活用して、例えば、水平姿勢と垂直姿勢の異なる姿勢を採るものもあり、このような記録装置においては、インクタンクの使用姿勢が変化することになる。このような記録装置においては、主たる使用状態として特定された姿勢を基本的な使用姿勢とし、そのときに使用されるインクタンク（ヘッドが一体化されたインクジェットカートリッジを含み）の姿勢を使用姿勢とみなすことができる。
【００３９】
（撹拌機構の構成）
図４は、インク収納室内（インク収納部内）における撹拌部材１００の設置状態を説明するための斜視図、図５は、その撹拌部材１００の拡大斜視図である。
【００４０】
撹拌部材１００は、容器本体１０の重力方向の下側に位置する下側開口部１０２と、その上側に位置する上側開口部１０３と、が形成されている。それらの開口部１０２，１０３の間には、中空部１０４が楕円形の筒となるように立体的に形成されている。また、下側開口部１０２近傍の楕円形の長軸に当たる位置の２カ所には、凹部に形成された支持部１０１が設けられている。また、上側開口部１０３近傍の楕円形の長軸に当たる位置の１カ所には、凹部に形成された挿通穴１０５が設けられている。この挿通穴１０５に、伝達部材１０６が引っ掛けられて連結される。
【００４１】
本例における撹拌部材１００は、ステンレス材料によって形成されており、中空部１０４を形成する内面には、泡が溜まらないように、例えばサンドブラスト等の親水化処理が施されている。撹拌部材１００の形成材料は特に限定されないが、インク収納室８０内に収容されるインクよりも比重が大きい材料が望ましい。また、中空部１０４の形状は断面楕円形に限らず、断面が円形や角形であっても構わない。また支持部１０１は、凹形状であっても撹拌部材１００を貫通する形状であってもよく、さらに、その形成位置は、本例のように長軸に当たる位置でなくても構わない。インク収納室８０内にインクが充填されると、撹拌部材１００は、その開口部１０２，１０３および中空部１０４がインク中に没するようになっている。
【００４２】
撹拌部材１００の支持部５０１は、図４に示すように、インク収納室８０の底部に設けられた固定部材１０８の突起部１０９に嵌合して、揺動自在に支持される。その嵌合部分は、撹拌部材１００が揺動する際の支点となる。本例の撹拌部材１００は、下側開口部１０２の近辺に位置する支持部１０１が支持されるため、撹拌部材１００が揺動した際、上側開口部１０３は、下側開口部１０２よりも変位量が大きくなり移動速度も速くなる。
【００４３】
（撹拌機構の動作および作用）
図６（ａ）,（ｂ）は、本例におけるインクカートリッジ１と、それが装着されるホルダー１０２０と、インクカートリッジ１の外部から撹拌部材１００を駆動するための駆動源としての駆動部１００１と、の関係を説明するための斜視図である。
【００４４】
ホルダー１０２０は、記録ヘッドから離れた記録装置の位置に備えられており、そのホルダー１０２０にインクカートリッジ１が装着される。したがって、本例におけるインクカートリッジは、記録ヘッドから離れた装填部に装填される据え置きタイプのインクタンクである。インクカートリッジ１をホルダー１０２０に装着した際、インクカートリッジ１の第１の弾性部材３２に、ホルダー１０２０に備わるインク導入針１０２１を挿通される。これにより、インク導入針１０２１を含むインク供給系路を通して、インクカートリッジ１内のインクを記録ヘッドに供給することができる。また、図６（ｂ）のように、インクカートリッジ１のハンドル部１０７の中空部１０７Ａには、駆動部１００１の回転体１０１０の偏心位置に備わるポール１０１１が挿入される。回転体１０１０は、軸１０１０Ａを中心として矢印Ｑ方向に回転駆動される。
【００４５】
図７は、本例における撹拌部材１００の動作を説明するためのインクカートリッジ１の側断面図であり、図２のＶＩＩ−ＶＩＩに沿う断面図である。インク収納室８０内は、顔料成分を含むインク（顔料インク）によって満たされており、インク収納室８０の底部に顔料成分が沈降することにより、下側に高濃度のインクが位置し、上側に低濃度のインクが位置している。
【００４６】
図７（ａ）は、回転体１０１０が止まっている状態を示し、撹拌部材１００は、その上側開口部１０３側がインク収納室８０の図中右側の内壁に接して静置している。
【００４７】
図７（ｂ）から（ｈ）は、回転体１０１０がＱ方向に回転した時の状態を示し、ポール１０１１が回転体１０１０と共に回転することにより、そのポール１０１１が挿入されたハンドル部１０７は矢印Ｒ１，Ｒ２方向に往復移動される。
【００４８】
図７（ｂ）,（ｃ）,（ｄ）,（ｅ）は、ハンドル部１０７がＲ２方向に回動するときの説明図である。このとき、撹拌部材１００に連結される側の伝達部材１０６の端部（図中の下端部）は、第２の弾性部材４２の位置を回動中心として矢印Ｓ２方向に回動し、これにより撹拌部材１００も矢印Ｓ２方向に揺動する。そして図７（ｅ）に示すように、撹拌部材１００は、その上側開口部１０３側がインク収納室８０の図中左側の内壁に接することにより、Ｓ２方向への揺動が停止される。
【００４９】
図７（ｆ），（ｇ）は、ハンドル部１０７がＲ２方向に回動するときの説明図である。このとき、撹拌部材１００に連結される側の伝達部材１０６の端部（図中の下端部）は、第２の弾性部材４２の位置を回動中心として矢印Ｓ１方向に回動し、これにより撹拌部材１００も矢印Ｓ１方向に揺動する。そして図７（ｇ）に示すように、撹拌部材１００は、その上側開口部１０３側がインク収納室８０の図中右側の内壁に接することにより、Ｓ１方向への揺動が停止される。
【００５０】
そして、回転体１０１０の回転が継続されることにより、図７（ｇ）から図７（ｈ）のように撹拌部材１００が再びＳ２方向に揺動する。つまり、回転体１０１０の回転力により、撹拌部材１００が駆動される。
【００５１】
このように、回転体１０１０の回転が継続される間、撹拌部材１００はＳ１，Ｓ２方向の揺動を繰り返す。
【００５２】
次に、インク収納室８０の底部にインク中の顔料成分が沈降した場合に、その底部に位置する高濃度のインクが撹拌部材１００の揺動に伴って撹拌される様子を図７（ａ）〜（ｈ）を用いて説明する。
【００５３】
撹拌部材１００がＳ２方向に揺動し始めると、その撹拌部材１００が揺動したことにより生じる遠心力によって、図７（ｂ）に示すように、中空部１０４内に存在するインクには、上側開口部１０３から流出する流れＴ２が生じる。それと同時に、下側開口部１０２近傍の底部に存在している高濃度インクには、中空部１０４に流入する流れＴ１が生じる。撹拌部材１００の揺動が継続されると、中空部１０４内のインクに作用する遠心力により、そのインクは、図７（ｂ）から（ｄ）中のように、中空部２０４内を流れて上側開口部１０３から流出する。
【００５４】
図７（ｅ）のように、撹拌部材１００のＳ２方向への揺動が停止すると、中空部１０４内のインクには、撹拌部材１００の揺動の停止により生じる慣性力が作用し、中空部１０４内のインクの流れはさらに加速される。中空部１０４を経由した高濃度のインクは、上側開口部１０３から流出された後、図７（ｆ），（ｇ）に示すような流れＴ３となって、低濃度のインク中に拡散される。また、インク収納室８０内のインクは、その内壁によって跳ね返るインクの流れＴ４によってさらに撹拌される。
【００５５】
上側開口部１０３から流出された高濃度のインクは、Ｔ２、Ｔ３、Ｔ４の流れおよび重力により、撹拌部材１００が設置されている高さにまで降りてくる。そして図７（ｈ）に示すように、撹拌部材１００の揺動に伴って、その外壁とインク収納室８０の内壁との相対的な近接および離間変位によって、それらの間に流れＴ５が機械的に生じる。その流れＴ５によって、インク収納室８０内のインクはさらに撹拌される。
【００５６】
以上のような動作を１回もしくは複数回実施することにより、インク収納室８０内のインクは、Ｔ１からＴ５の流れにより下層部から上層部にまで持ち上げられて撹拌される。その結果、インク収納室８０の上層部のインクを含めて、インク収納室８０内のインク全体をまんべんなく撹拌することができる。つまり、インクカートリッジ１内のインクを効率よく攪拌することができる。
【００５７】
撹拌部材１００の揺動は連続的に実施することが望ましく、その連続的な揺動により、インク収納室８０内のインクを上部に向かって巻き上げるための推進力を高めることができる。つまり、揺動部１００の中空部１０４内のインクに流れＴ２を生じさせるポンピング作用を高めることができる。
【００５８】
また本例では、撹拌部材１００の揺動方向を反転させながら撹拌を行った。しかし、その揺動方向は必ずしも反転する必要は無い。慣性力によって、インク収納室の底部に位置する顔料粒子を撹拌部材の中空部を経由して上部へ巻き上げるための充分な推進力が加えられればよく、撹拌部材の一方向の揺動の後、その撹拌部材が停止しても構わない。また、インク収納室８０内のインクが減少して液面が下がっても、撹拌部材１００の中空部１０４がインクに没している限り、上述したようなインクの撹拌効果を得ることができる。
【００５９】
本例においては、第２の弾性部材４２を中心として、伝達部材１０６およびハンドル部１０７が回転することにより撹拌部材１００を揺動させる構成となっている。しかし、撹拌部材１００揺動させることができれば、いかなる機構を用いてもよい。したがって、伝達部材１０６は、本例のようにインクカートリッジ１の天上部に配置される形態に限定されるものではなく、例えば、図８に示すように、インクカートリッジ１の側面に配置される形態であってもよい。
【００６０】
また、インクカートリッジ１は、本例のような据え置きタイプのインクカートリッジに限定されるものではなく、例えば、キャリッジ２３０１上に搭載されるタイプであってもよい。このようなタイプのインクカートリッジの場合も、その内部に備わる撹拌部材を揺動させることにより、上述したようなインクの撹拌効果を得ることができる。
【００６１】
（第２の実施形態）
次に、本発明の第２の実施形態について説明する。本実施形態における液体収納容器は、前述した図１の記録装置に搭載可能なインクカートリッジとしての適用例である。
【００６２】
図９は、本実施形態におけるインクカートリッジ２の分解斜視図である。本実施形態におけるインクカートリッジ２は、第１の実施形態に示すインクカートリッジ１に対して、撹拌部材１００を２つ（１００（１）,１００（２））配置した構成となっており、その他の主要な構成は、第１の実施形態のインクカートリッジ１と同様である。
【００６３】
撹拌部材１００（１）,１００（２）は、前述した実施形態と同様に、それぞれに連結された伝達部材１０６（１）,１０６（２）を介して揺動される構成となっている。それらの伝達部材１０６（１）,１０６（２）には、ハンドル部１０７（１）,１０７（２）が取り付けられている。
【００６４】
図１０、図１１は、本例における撹拌部材１００（１）,１００（２）の動作を説明するためのインクカートリッジ２の断面図である。
【００６５】
インクカートリッジ２内の撹拌部材１００（１）,１００（２）は、前述した実施形態と同様に、駆動部における回転体の回転に伴って揺動される。それらの揺動を図１０および図１１を用いて説明する。図１０および図１１において、インク収容部８０内は顔料インクによって満たされている。ハンドル部１０７（１）,１０７（２）に対応する回転体１０１０（１），１０１０（２）は独立的に設けられており、撹拌部材１００（１）,１００（２）を個別に揺動させることが可能となっている。
【００６６】
図１０（ａ）および図１１（ａ）は、それぞれの回転体１０１０（１），１０１０（２）が止まっている状態である。この状態において、撹拌部材１００（１）,１００（２）は、それぞれの上側開口部１０３（１），１０３（２）側がインク収納室８０の図１１中右側の内壁に接して静置している。
【００６７】
図１０（ｂ）および図１１（ｂ）は、それぞれの回転体１０１０（１），１０１０（２）が独立して回転し始めた状態を示す。それらの回転に伴い、対応するハンドル部および伝達部材を介して撹拌部材１００（１）,１００（２）が揺動する。本例において、回転体１０１０（１）の回転速度は、回転体１０１０（２）の２倍となっている。したがって、図１０（ｂ）および図１１（ｂ）のように、撹拌部材１００（１）の上側開口部１０３（１）側が図１１中左側の内壁に到達するまで回転したときに、撹拌部材１００（２）の上側開口部１０３（２）側は、その半分までしか回転していない。
【００６８】
そして、回転体１０１０（１），１０１０（２）の回転が継続されることにより、図１０（ｃ）および図１１（ｃ）のように、撹拌部材１００（１）の上側開口部１０３（１）側は図１１中右側の内壁にまで到達する。このとき、撹拌部材１００（２）の上側開口部１０３（２）側は、図１１中左側の内壁に到達する。
【００６９】
このような撹拌部材１００（１）,１００（２）の揺動を繰り返すことにより、インク収納室８０内のインクを撹拌することができる。本例においては、撹拌部材を複数配置しているため、前述した実施形態よりも短時間でインクを撹拌することが可能となる。
【００７０】
図１２は、インク収納室８０の底部にインク中の顔料成分が沈降した場合に、高濃度のインクが撹拌される様子を示す。上述したように、撹拌部材１００（１）,１００（２）を異なる速度で揺動させるため、撹拌部材１００（１）が上部開口部１０３（１）からインクを排出するインク排出能力は、撹拌部材１００（２）のそれよりも高くなる。そのため、撹拌部材１００（１）側からは、その上方に向かって強く排出されると共に、撹拌部材１００（２）の上方に向かっても排出される。このように、撹拌部材１００（１）,１００（２）の撹拌動作の周期に差を利用することにより、撹拌部材１００（１）上方だけではなく、撹拌部材の並び方向にも積極的にインクの流れを形成することができる。この結果、インクの撹拌効果を格段に向上させることができる。
【００７１】
（第３の実施形態）
次に、本発明の第３の実施形態について説明する。本実施形態における液体収納容器は、前述した図１の記録装置に搭載可能なインクカートリッジとしての適用例である。
【００７２】
図１３は、本実施形態におけるインクカートリッジ３の分解斜視図である。本実施形態のインクカートリッジ３に備わる撹拌部材１００は、その上側開口部１０３近傍に強磁性体部１４０が設けられている。その他の主要な構成は第１の実施形態と同様である。
【００７３】
図１４は、本例におけるインクカートリッジ３内の撹拌部材１００と、それを駆動するための駆動部１００２と、の関係の説明図であり、図１３におけるＸＩＶ−ＸＩＶ線に沿う断面図である。本例における駆動部１００２は、撹拌部材１００の揺動方向におけるインクカートリッジ３の両側面と対向する位置に、永久磁石からなる２つの磁力発生部１０３０を移動可能に備えている。図１４（ａ）のように、左側の磁力発生部１０３０がインクカートリッジ３の側面と対向する位置に移動したときに、その磁力発生部１０３０の磁力により、撹拌部材１００の上側開口部１３３近傍に設けられている強磁性体部１４０が引き寄せられる。これにより、撹拌部材１００が図１４（ａ）中の左方に揺動する。また、図１４（ｂ）のように、右側の磁力発生部１０３０がインクカートリッジ３の側面と対向する位置に移動したときに、その磁力発生部１０３０の磁力により、撹拌部材１００の上側開口部１３３近傍に設けられている強磁性体部１４０が引き寄せられる。これにより、撹拌部材１００が図１４（ｂ）中の右方に揺動する。このように、撹拌部材１００と対向する位置に向かって、２つの磁力発生部１０３０を交互に移動させることにより、撹拌部材１００を揺動させることができる。
【００７４】
このような撹拌部材１００の揺動を１回もしくは複数回実施することにより、前述した第１の実施形態と同様に、インク収納室８０内のインクを下層部から上層部にまで持ち上げて、インク収納室８０内のインク全体をまんべんなく撹拌することができる。
【００７５】
撹拌部材１００の揺動方向は、図１４中の左右方向のみに限定されない。例えば、図１５のように、撹拌部材１００の揺動方向を同図中の上下方向とするように、その撹拌部材１００を揺動自在に備えて、それを磁力発生部１０３０の磁力により揺動させるようにしてもよい。この場合には、図１５（ａ）,（ｂ）のように、磁力発生部１０３０が１つであっても撹拌部材１００を揺動させることが可能である。また、磁力発生部１０３０は、インクカートリッジと相対移動可能であればよい。
【００７６】
また、撹拌部材１００の材質が強磁性体である場合には、強磁性体部１４０を設けなくてもよい。また、本実施形態においても第２の実施形態と同様に、複数の撹拌部材１００を備えて、それらを異なる周期で個別に揺動させるようにしてもよい。この場合には、第２の実施形態と同様に、インクの撹拌効果を格段に向上させることができる。
【００７７】
また、駆動部１００２は、図１６のように、永久磁石からなる磁力発生部１０３０の代わりに、電磁石からなる磁力発生部１０４０を備えてもよい。この場合には、磁力発生部１０４０とインクカートリッジとを相対移動させることなく、電流のＯＮ／ＯＦＦによって磁力を自在に発生することができる。したがって、図１６（ａ）,（ｂ）のように、インクカートリッジの両側面と対向する２つの磁力発生部１０４０を交互にＯＮ／ＯＦＦすることにより、撹拌部材１００を揺動させることができる。このように、撹拌部材１００の揺動を１回もしくは複数回実施することにより、第１の実施形態と同様に、インク収納室８０内のインクを下層部から上層部にまで持ち上げて、インク収納室８０内のインク全体をまんべんなく撹拌することができる。
【００７８】
また、例えば図１７に示すインクカートリッジ４のように、その側面に、電磁石からなる磁力発生部１０５０と、それに接続される配線１０５１と、を備えてもよい。配線１０５１に設けられたコンタクト部を記録装置側に接続して、その配線１０５１を通して磁力発生部１０５０を制御することにより、その磁力を利用して、インクカートリッジ４内の撹拌部材１００を前述した実施形態と同様に揺動させることが可能である。
【００７９】
（他の実施形態）
撹拌部材を駆動するための駆動部の構成は、前述した実施形態のみに特定されず、撹拌部材を駆動するための機械的、電磁的、および電気的なエネルギーを伝達することができればよい。また、撹拌部材を複数備える場合には、前述したように、それらの駆動速度や揺動周期（撹拌部材を往復移動させるときの駆動周期）を異ならせる他、それらの加速度などを含む駆動条件を異ならせてもよい。それらの駆動条件は、１つあるいは複数組み合わせてもよい。また、それらの撹拌部材の形状や大きさなどを異ならせ、それらの駆動条件が同じでも撹拌効果を異ならせるようにしてもよい。
【００８０】
上述した実施形態において、撹拌部材としての揺動部材は、その重力方向の下方寄りの位置（下側開口部寄りの位置）が揺動支点となっており、これにより、揺動部材の中空部内を下方から上方に向かう液体の流れを生じさせる構成となっている。しかし、揺動部材の上方寄りの位置（上側開口部よりの位置）に揺動支点を設定してもよい。この場合には、上部開口部と下部開口部と移動速度の差によって、揺動部材の中空部内を上方から下方に向かう液体の流れを生じさせて、前述した実施形態と同様に液体を攪拌することができる。つまり、上部開口部と下部開口部の一方寄りに位置する支持部を支点として揺動部材を揺動させることにより、揺動部材の中空部に、下方から上方、または上方から下方への向かうインクの流れを積極的に生じさせることができる。この場合、上部開口部と下部開口部の一方は、揺動部材の一端側に位置して液体を導入する第１開口部として機能し、他方は、揺動部材の他端側に位置して液体を導出する第２開口部として機能することになる。その液体の流れの方向は、液体の収納空間の形状、液体の種類などに応じて最適に設定することができる。また、その液体の流れは、少なくとも２つの開口部と、その間の中空部を通して生じればよい。したがって、揺動部材における中空部および開口部の位置、形状、および数などは任意である。
【００８１】
また、上述した実施形態の液体収納容器（インクカートリッジ）において、液体を収納可能な液体収納部（インク収納室）は、液体（インク）の収納量が減っても容積が変化しない構成となっている。しかし、その液体収納部は、液体の収納量の減少に伴って容積が変化するように構成してもよい。例えば、その液体収納部の内壁の少なくとも一部、または、その液体収納部に連通する液室の内壁の少なくとも一部を可撓性部材により形成し、その可撓性部材が液体の収納量に応じて変形するようにしてもよい。つまり、液体の消費などによる液体の収納量の減少に伴って、液体収納部の容積が減少するように構成してもよい。可撓性部材は、ばねなどの付勢手段によって、液体収納部の容積を拡大させる方向に付勢してもよく、これにより液体収納部内の負圧を維持することもできる。このような可撓性部材または弾性部材を備えた液体収納容器は、「ばね袋タイプ」とも称されている。また、液体の収納量の減少に応じて液体収納部の容積が減少するように構成した場合には、その液体収納部内における液体の液面と、その液体収納部内に備わる撹拌部材と、の位置関係の変化を小さく抑えることができる。このことは、撹拌部材の攪拌機能を維持する上において有利である。
【００８２】
また、揺動部材は撹拌部材の形態の１つであり、その撹拌部材の形状および移動形態は特に限定されない。つまり、特定の支点を中心として揺動可能（回動可能）に備える他、所定の軌跡に沿って往復移動可能に備えたり、あるいは液体収納容器の特定の面に沿って自由に移動する構成としてもよい。要は、攪拌部材の移動を伴って、その中空部に液体の流れが生じればよい。
【００８３】
上述した実施形態においては、本発明における液体収納容器の一例として、いわゆるシリアルスキャンタイプのインクジェット記録装置に搭載可能なカートリッジ型のインクタンク（インクカートリッジ）としての適用例を示した。しかしながら、本発明はインクカートリッジのみに適応されるものではなく、種々の液体を収納するための液体収納容器として広く適用することができる。その液体収納容器は、液体を案内する中空部が形成された揺動部材を備えていればよい。
【００８４】
本発明の記録装置は、一般的な記録装置の他、複写機、通信システムを有するファクシミリ、プリント部を有するワードプロセッサ等の装置、さらには、各種処理装置と複合的に組み合わされた産業用記録装置にも適用することができる。また本発明は、インクジェット記録ヘッドを用いるインクジェット記録装置のみならず、記録媒体にインクを付与する種々の記録ヘッドを用いた記録装置に対しても適用することができる。
【図面の簡単な説明】
【００８５】
【図１】本発明の第１の実施形態におけるインクジェット記録装置の外観斜視図である。
【図２】本発明の第１の実施形態におけるインクカートリッジの斜視図である。
【図３】図２のインクカートリッジの分解斜視図である。
【図４】図３における撹拌部材の設置状態を説明するための要部の斜視図である。
【図５】図３における撹拌部材の拡大斜視図である。
【図６】（ａ）,（ｂ）は、それぞれ、図２におけるインクカートリッジとホルダーと駆動部との関係を説明するための視図である。
【図７】（ａ）〜（ｈ）は、それぞれ、図２における撹拌部材の動作を説明するためのインクカートリッジの断面図である。
【図８】本発明の第１の実施形態における撹拌部材の変形例を説明するための要部の斜視図である。
【図９】本発明の第２の実施形態におけるインクカートリッジの分解斜視図である。
【図１０】（ａ）〜（ｃ）は、それぞれ、本発明の第２の実施形態における撹拌部材の動作を説明するためのインクカートリッジの縦断面図である。
【図１１】（ａ）〜（ｃ）は、それぞれ、本発明の第２の実施形態における撹拌部材の動作を説明するためのインクカートリッジの横断面図である。
【図１２】本発明の第２の実施形態におけるインクカートリッジ内のインクの流れの説明図である。
【図１３】本発明の第３の実施形態におけるインクカートリッジの分解斜視図である。
【図１４】（ａ）,（ｂ）は、それぞれ、本発明の第３の実施形態における撹拌部材の動作を説明するためのインクカートリッジの横断面図である。
【図１５】（ａ）,（ｂ）は、それぞれ、本発明の第３の実施形態における撹拌部材の他の駆動例を説明するためのインクカートリッジの横断面図である。
【図１６】（ａ）〜（ｂ）は、それぞれ、本発明の第３の実施形態における撹拌部材の他の駆動例を説明するためのインクカートリッジの横断面図である。
【図１７】本発明の第３の実施形態における撹拌部材のさらに他の駆動例を説明するためのインクカートリッジの斜視図である。
【符号の説明】
【００８６】
１，２，３，４    インクカートリッジ（液体収納容器）
８０    インク収納室
１００，１００（１），１００（２）    撹拌部材
１０１    支持部
１０２    下側開口部
１０３    上側開口部
１０４    中空部
１０６    伝達部材
１０７    ハンドル部
１００１，１００２    駆動部（駆動源）
【図１】
2008273045.tif 000003
【図２】
2008273045.tif 000004
【図３】
2008273045.tif 000005
【図４】
2008273045.tif 000006
【図５】
2008273045.tif 000007
【図６】
2008273045.tif 000008
【図７】
2008273045.tif 000009
【図８】
2008273045.tif 000010
【図９】
2008273045.tif 000011
【図１０】
2008273045.tif 000012
【図１１】
2008273045.tif 000013
【図１２】
2008273045.tif 000014
【図１３】
2008273045.tif 000015
【図１４】
2008273045.tif 000016
【図１５】
2008273045.tif 000017
【図１６】
2008273045.tif 000018
【図１７】
2008273045.tif 000019